(57)【要約】【課題】調整可能なフック式収納装置を提供する。【解決手段】本考案は、頂板、複数の置物箱、複数の第一吊るし帯、複数の第二吊るし帯、複数の柱体、からなる。頂板は複数の垂直に貫通する槽孔を有する。置物箱の側壁は複数の水平に貫通する槽孔を有する。第一吊るし帯の第一端が頂板の一側に固定され、相対するもう一端は頂板の槽孔を通過し、第一吊るし帯の一部が湾曲、重畳されて置物箱の槽孔を通過し、更に、柱体が穿孔、および、重畳する第一吊るし帯の間を通過する。第二吊るし帯の上端は穿孔を有し、第二吊るし帯の上端は上向けに頂板の槽孔を通過し、第二吊るし帯の一部が重畳して置物箱の槽孔を通過し、更に、柱体が穿孔、および、重畳する第二吊るし帯の間を通過する。頂板と置物箱の重量により、これらの柱体が槽孔で係止し、頂板と置物箱が吊るされる。【選択図】図１
0003150145.tif 000002
【実用新案登録請求の範囲】
【請求項１】
調整可能なフック式収納装置であって、
垂直に貫通する複数の槽孔を設置する頂板と、
側壁に水平に貫通する複数の槽孔を設置する複数の置物箱と、
少なくとも一つの穿孔を有し、第一端が前記頂板一側の前記槽孔を通過して固定し、前記第一端と反対側の第二端が前記頂板のもう一つの前記槽孔を通過すると共に、前記穿孔を前記頂板の下方に配置し、一部が湾曲、重畳して、前記置物箱の前記槽孔を通過する複数の第一吊るし帯と、
穿孔を設置し、上端が上向けに前記頂板の槽孔を通過し、一部が湾曲、重畳して、前記置物箱の前記槽孔を通過する複数の第二吊るし帯と、
前記穿孔を通過し、前記置物箱内側の重畳する前記第一吊るし帯の間、および、前記置物箱内側の重畳する前記第二吊るし帯の間に穿入し、前記頂板と前記置物箱の重量により、前記槽孔で係止し、前記頂板と前記置物箱を吊るす複数の柱体と、
からなることを特徴とする調整可能なフック式収納装置。
【請求項２】
更に、槽孔を有するフックを含み、前記第一吊るし帯は重畳して前記槽孔を通過し、更に、前記柱体が重畳した前記第一吊るし帯の間を通過して、前記槽孔で係止し、前記フックがドア上縁に掛けられることを特徴とする請求項１に記載の調整可能なフック式収納装置。  
【請求項３】
前記第一吊るし帯の両端は前記頂板の槽孔を通過後、縫製で固定され、前記第二吊るし帯は、前記頂板と前記置物箱の側辺に位置し、前記頂板と前記置物箱を吊るすことを特徴とする請求項１に記載の調整可能なフック式収納装置。
【考案の詳細な説明】
【技術分野】
【０００１】
本考案は、収納装置に関するものであって、特に、組み立て、直列接続、調整と分解が便利に行える収納装置に関するものである。
【背景技術】
【０００２】
公知のクローゼットやタンスはどれも固定式であり、使用者の必要に応じて変化させるために、分解したり、位置を変えて組み立てることが出来ない。もし、この種の機能を必要とする場合は、通常、ビニール布製の簡易式クローゼットを購入するしかないが、この種のものは質感が悪く、丈夫な作りではないし、また、美観といえない。
他にも公知のクローゼットは、帆布を縫製して複数の置物空間を有する形態のものがあり、空間を仕切り、且つ、物品を放置する水平面は軟質の布である。しかし、これらは、縫製で固定する型式であるので、使用者の希望により任意に直列に接続したり、或いは、調整したりすることが出来ない。
【考案の概要】
【考案が解決しようとする課題】
【０００３】
本考案は、公知の固定式のクローゼットが重いことや、必要に応じて変化させるために、取り外して位置を変えて再組み立てすることができない問題や、一般のビニール布や帆布の簡易式クローゼットが、縫製による固定方式であるために、任意の直列接続や調整ができない欠点を解決するような収納装置を提供することを目的とする。
【課題を解決するための手段】
【０００４】
本考案の収納装置は、複数の吊るし帯により頂板、或いは、複数の置物箱に設置された槽孔を通過させると共に、柱体で吊るし帯を槽孔に固定して、複数層の置物空間を直列した収納装置を構成する。フレキシブルな設計の柱体により、組み立てや分解が可能であり、使用者の思うままに自由に、収納空間の高度や数量、型式を調整できる。
【考案の効果】
【０００５】
本考案の収納装置は、公知の固定式のクローゼットが重いことや、取り外して位置を変えて再組み立てすることができない問題、ビニール布や帆布製の簡易式クローゼットが、縫製による固定方式であるために、任意の直列接続や調整ができない欠点を解決することができる。
【図面の簡単な説明】
【０００６】
【図１】本考案の第一実施例の立体図である。
【図２】本考案の第二実施例の立体図である。
【図３】本考案の第一吊るし帯と第二吊るし帯、頂板とフックの組み合わせ関係の立体分解図である。
【図４】本考案の第一吊るし帯と第二吊るし帯、置物箱の組み合わせ関係の立体分解図である。
【図４Ａ】本考案の第二吊るし帯と柱体を置物箱に組み合わせた構造の局部平面図である。
【図５】本考案の結合素子により第二吊るし帯と置物箱を組み合わせる実施例の立体図である。
【図６】本考案の吊るしフックと掛け孔により第二吊るし帯と置物箱を組み合わせる実施例の立体図である。
【図７】本考案の第一吊るし帯により多種の収納装置を直列して吊るす実施例の立体図である。
【実施例１】
【０００７】
図１は、本考案の調整可能なフック式収納装置を示す図で、一般の居住空間のドア後方の空間を収納空間とし、収納装置をドアAの上縁に吊るす。収納装置の好ましい実施例は、頂板１、複数の置物箱５、複数の第一吊るし帯２と第二吊るし帯３、からなる。第一吊るし帯２の第一端は頂板１の一側に固定され、第二端は頂板１のもう一側に延伸すると共に、各置物箱５を直列に接続する。第一吊るし帯２は、更に、フック４を結合し、フック４によりドアAの上縁に掛ける。第二吊るし帯３は各置物箱５の側辺から直列に結合する。
【実施例２】
【０００８】
図２は、本考案の第二実施例を示す図で、複数の第一吊るし帯２の両端を直接、頂板１の両側に固定し、第二吊るし帯３は各置物箱５の側辺から直列に結合する。これにより、第一吊るし帯２を一般のクローゼットの吊るし棒Bに掛けることが出来る。
図３は、本考案が提供する第一、第二吊るし帯２、３、頂板１、および、フック４の構造組み合わせを示す図で、頂板１は四隅に近接する適当な位置に、それぞれ、垂直に貫通する槽孔１１を設置する。第一吊るし帯２の適当な位置に少なくとも一つの穿孔２３を設置する。穿孔２３は、二第一吊るし帯２を重畳させた後、両側で縫合固定して形成される。第一吊るし帯２の第一端２１は頂板１一側の槽孔５１を通過した後、縫製により固定する。相対する第二端２２は、頂板１のもう一つの相対側の槽孔５１を通過し、穿孔２３が頂板１の下方に位置し、その後、柱体２４を穿孔２３に穿入させ、柱体２４により頂板１下方で支承され、頂板１を収納装置最上方の水平置物層棚にする。頂板１上方に位置する第一吊るし帯２は、湾曲させて重畳後、フック４の槽孔４１を通過し、その後、柱体４２を重畳された第一吊るし帯２の間に穿入させ、フック４がドアの上縁にかけられた後、重力作用により、第一吊るし帯２が締まり、各柱体４２と２４が固定される。第二吊るし帯３の上端は、前述の第一吊るし帯２の形成方式で穿孔３１を形成し、第二吊るし帯３の上端は上方向に頂板１の槽孔１１を通過後、柱体３２により穿孔３１を通過し、第二吊るし帯３が置物箱５を掛けた後、重力により第二吊るし帯３が締まり、柱体３２が槽孔１１で係止して固定される。
図４と図４Aは、本考案が提供する第一、第二吊るし帯２、３と置物箱５の構造の組み合わせ実施例図である。置物箱５の各側壁は複数の水平に貫通した槽孔５１を設置する。既に、頂板１の槽孔１１を通過した第一、第二吊るし帯２、３は、一部が重畳して置物箱５の槽孔５１を通過し、その後、柱体３２により置物箱５内側の重畳する第一、第二吊るし帯２、３の間に穿入し、これにより、置物箱５自身の重量によって、第一、第二吊るし帯２、３が締まり、柱体３２が槽孔５１で係止し、第一、第二吊るし帯２、３が置物箱５の側壁に固定される。置物箱の高度位置を変えたい時、柱体３２を取り出し、所望の高度位置の吊るし帯を湾曲、重畳させると共に、槽孔５１を通過させ、その後、柱体３２を再挿入すれば固定できる。
図５は、本考案の第二吊るし帯３と置物箱５を固定するもう一つの実施例図で、置物箱５の側壁に複数の第一結合素子５２（銅ボタン、嵌合ボタン等）を設置し、且つ、第二吊るし帯３の一側面は第一結合素子５２と係合する第二結合素子３３を設置し、第一、第二結合素子５２、３３の結合固定後、置物箱５が第二吊るし帯３に吊るされる。
図６は、本考案の第二吊るし帯３と置物箱５を固定するもう一つの実施例図で、置物箱５の側壁に複数の掛け孔５３を設置し、且つ、第二吊り帯３の一側面に複数の掛け孔５３に対応する吊るしフック３４を設置し、吊るしフック３４と掛け孔５３により、置物箱５を第二吊るし帯３に吊るす。
図７で示されるように、本考案の複数の第一吊るし帯２で多種の収納素子を吊るすことができる。例えば、前述の方式で、第一吊るし帯２を頂板１とフック４に組み合わせた後、第一吊るし帯２の多数の位置を湾曲、重畳させ、それぞれ、置物袋６、置物箱７、および、洗濯物袋８上方に設けられた槽孔を通過し、柱体を槽孔の吊るし帯の重畳間に穿入させて、重力作用により柱体を固定することができる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００９】
ドアA
吊るし棒B
頂板１
第一吊るし帯２
第二吊るし帯３
フック４
置物箱５
置物袋６
置物箱７
洗濯物袋８
槽孔１１
穿孔２３
第一端２１
第二端２２
柱体２４、４２
穿孔３１
柱体３２
第二結合素子３３
吊るしフック３４
槽孔４１、５１
第一結合素子５２
掛け孔５３
【図１】
0003150145.tif 000003
【図２】
0003150145.tif 000004
【図３】
0003150145.tif 000005
【図４】
0003150145.tif 000006
【図４Ａ】
0003150145.tif 000007
【図５】
0003150145.tif 000008
【図６】
0003150145.tif 000009
【図７】
0003150145.tif 000010